(57)【要約】【課題】  現在、夢の発電所と言はれた福島原発の事故で、人類は、如何にして安全で、枯渇しないものを、高コストでも受入ねばならぬか、【解決手段】  木発明は、最初に設備（極めて簡単な装置で、壊れるような高級なもの皆無）すれば、ランニングコストは、使用する水の自然蒸発のみで、殆ど０、公害も、騒音も０、  球を、水中ではゆっくりと浮上するような重さにした球は、大気中でも落下するので、この間に羽根車を置く、一度落下した球を、羽根車の上の落下位置まで、自力上昇させるためには浮上させるように工作すればよい、そこで水を張った管に球を導入されるように装置すれば、蒸発した普通の水道水でも、たまに補給すれば、永久に自力で循環するので、無限動力の実現である。【選択図】図１
2013044324.tif 000002
【特許請求の範囲】
【請求項１】
（Ａ）水車型の羽根車（１）を、回動自在に設ける、例えば、羽根車（１）に、カバ−、若しくはフルカバ−（１７）を施すこともある。
（Ｂ）羽根車（１）の上部より投下させる球体（２）、球体（２）は、水中ではゆっくりと浮上する、適度の重みをもつ。
（Ｃ）羽根車（１）への投下口と、羽根車（１）から放出される放出口の間に、長く伸ばしたＣ型の浮上管（４）を、各々にに密着させて、水を入れる。
（Ｄ）羽根車（１）の放出口と、浮上管（４）の間に、回動自在の水車型の受払い羽根車（３）を密着させて設ける、例えば、カバ−、若しくはフルカバ−（１８）を施して設けることもある。
以上の構成よりなる、球体を水中と空中を循環させて動力を創る装置。
【発明の詳細な説明】
【技術分野】
【０００１】  本発明は、球体を、水中、空中を循環させ、この間に、球体を水車形の羽根車に落下させて回転運動させ、動力を創造する、所謂、無限動力に関するものである。
【背景技術】
【０００２】  元来、無限動力は、実現不可能とされ、このことは、有名な学者は勿論、常識人であるなら、当然のこととされている、従って、無限動力を考える者は、阿呆か、狂人とみなされるのが、背景技術の現実である。
【発明の概要】
【発明が解決しようとする課題】
【０００３】  現在使用されている動力は、水力、風力、潮力、地熱、太陽の光と、熱等の自然エネルギ−、化石燃料、原子力等で、自然エネルギ−は、自然任せで安定利用と、一旦、地震、、台風等の異変が起きれば、莫大なる設備も壊滅的被害を受ける、原子力発電については、人類は今にして、制御不能を知り、場合によれば人類滅亡の可能性も、否定出来ないのが現状であり、人類は、如何にして安全で、有害な排出物が少ない、枯渇資源も出来たら使用しない、安定的に入手可能で、多少コストアップも止むなしというのが人類共通の課題である。
【課題を解決するための手段】
【０００４】  本発明は、以上の全ての課題を一挙に解決する唯一のもので、狂人の戯言と言われた、無限動力の実現にある。【０００５】  球体を、大気中では勿論落下するが、水中ではゆっくりと浮上する重さに設け、この球体を水車の水の代はりにして、水車形の羽根車に投下させて回転運動させる。
羽根車を間断なく回すために、落下した球体を、羽根車の投下口まで引き揚げるように、球体の放出口に、水車形の、受払い羽根車を設ける、受払い羽根車も、受入れた球体の重みにより回転しているので、受け入れた球体を隣に設けた、浮上管に送り込む。
浮上管に、８０〜９０％位の水が入つているので、球体は浮上し、後から次々に浮上して、管に送り込まれる球体に押上られて、順次投下口より羽根車に投下して、羽根車を連続して回転させる。
以上のような運動の繰り返しで、他に何等のエネルギ−を必要としない、何等の排出物も出さない、無限動力の、半永久的な連続運転も実現可能である。
【発明の効果】
【０００６】  本装置は、以上のように、最初に設備すれば、何等のエネルギ−も不要で、唯一の運転に必要なものは、用水が自然蒸発等による微量の補給だけである、本装置の製造も、簡単で、高度の技術も不要、本装置の製造価格も低廉で、排出する公害物質も皆無、天候や昼夜の如何を問はず、容易に連続運転可能、構造簡単のため破損や、不調の原因となるものなく、耐久性に富、半永久的な無人運転も容易である。
【図面の簡単な説明】
【０００７】
【図１】請求項１に記載の、本発明の一部を切欠いた断面図
【発明を実施するための形態】
【０００８】  以下、本発明を実施するための形態を、図１に基づいて説明する、本発明の特徴は、構造が極めて簡単であることである。
【０００９】  （Ａ）水車形の羽根車（１）を、回転自在に設け、羽根車の回転を阻害しない程度の気密をもって、羽根車フルカバ−（１７）を設ける。
（Ｂ）羽根車（１）を駆動するのは、球体（２）で、球体（２）は、水中ではゆっくりと浮き上がり、大気中では落下するように、適度に重くする。
（Ｃ）羽根車（１）の上部より投下された球体（２）は、球体（２）の自重で羽根車（１）を回転させ、やがて放出される、この放出された球体（２）を、再度上部の羽根車（１）の投下口に上昇させるために、羽根車（１）の放出口に、球体（２）を受けとれる、受払い羽根車（３）を、回転を阻害しない程度に、フルカバ−（１８）を取付ける。
（Ｄ）次に、球体（２）を受けとった受払い羽根車（３）は、球体（２）の重みで回転してゆき、真横辺に達する、この位置より、羽根車（１）の投下口迄、縦長Ｃ形の浮上管（４）を、気密をもって取付け、管内に８０〜９０％位を目安に水を満たす。
（Ｅ）以上のように設けると、浮上管（４）の水は、受払い羽根車（３）の回転により、小量の水も運ぶので、受払い羽根車フルカバ−（１８）の中心軸より、少し上に排水ポケット（１９）を設け、パイプを設けて端を、排水パイプ（１１）に密着する、その他の漏水は、受払い羽根車フルカバ−（１８）の下限位置に穴を穿ちパイプを密着させて、先端を排水パイプ（１１）に密着させる。
（Ｆ）羽根車（１）の車軸に傘歯車Ａ（６）、羽根車Ｂ（３）の車軸に傘歯車Ｂ（７）を設け、傘歯車Ａ（６）に傘歯車ＡＡ（８）を、傘歯車Ｂ（７）に傘歯車ＢＢ（９）を係合させ、両傘歯車（８）と（９）を、フルカバ−（１７）と（１８）に軸受を設けた、シャフト（１０）に固着して、両羽根車（１）（３）の回転力を一緒にする。
（Ｇ）受払い羽根車（３）から送りこまれた球体（２）が、自力浮上する浮上管内（４）の、常時設定水位を保持するために、給水パイプ（１１）に、自動給水弁（１２）を施した、水タンク（５）を隣に設け、双方間をパイプで結ぶ。
（Ｈ）羽根車フルカバ−（１７）の最下部にも、排水穴を穿ちて、排水パイプ（１３）で、排水タンク（１４）に集め、自動揚水ポンプ（１５）にて、水タンク（５）に還元する、但し、水が容易に調達可能ならば、垂れ流しにすることもある。
【００１０】  本装置を規格化して、大量生産し、横に何列でも、縦（上下）にも何段も組合はせて、用地が充分に確保出来ない都市部等のケ−スにも、応じることも出来、小単位の給電エリアを設けて、発電コストの大幅な値下げは勿論、従来の遠隔地からの膨大なる送電設備と、送電による電力ロス、保守点検を無くす。
【００１１】  以上が実施形態ですか、例えば、球体の自重が１００ｋ、羽根車は、テ−マパ−クの観覧車位となると、球体が羽根車に、落下したときの衝撃、騒音の排除のために、羽根車の、球体受け部をお碗形等にして、水を球体と一緒に落下させる等が考えられる。
【符号の説明】
【００１２】  １  羽根車                        １１  給水パイプ
２  球体                          １２  自動給水弁
３  受払い羽根車                  １３  排水パイプ
４  浮上管                        １４  排水タンク
５  水タンク                      １５  自動揚水ポンプ
６  傘歯車Ａ                      １６  揚水パイプ
７  傘歯車Ｂ                      １７  羽根車フルカバ−
８  傘歯車Ａ噛合傘歯車            １８  受払い羽根車フルカバ−
９  傘歯車Ｂ噛合傘歯車            １９  排水ポケット
１０  シャフト
【図１】
2013044324.tif 000003